(57)【要約】【課題】印刷紙面の情報を反映して洗浄時間を短縮することができるブランケット胴洗浄方法を提供すること。【解決手段】オフセット印刷機のブランケット胴を洗浄するブランケット胴洗浄方法であって、絵柄面積率に基づいて洗浄時間を算出する工程と、印刷終了後に前記洗浄時間だけ前記ブランケット胴を洗浄する工程と、を備えたことを特徴とするブランケット胴洗浄方法である。【選択図】図３
2014046604.tif 000002
【特許請求の範囲】
【請求項１】
オフセット印刷機のブランケット胴を洗浄するブランケット胴洗浄方法であって、
絵柄面積率に基づいて洗浄時間を算出する工程と、
印刷終了後に前記洗浄時間だけ前記ブランケット胴を洗浄する工程と、
を備えたことを特徴とするブランケット胴洗浄方法。
【請求項２】
前記絵柄面積率に基づいて接触時間を算出する工程と、
印刷終了後、前記ブランケット胴を洗浄する工程の前に、前記接触時間だけ前記ブランケット胴を前記ウェブに接触させる工程と、
を更に備えたことを特徴とする請求項１に記載のブランケット胴洗浄方法。
【請求項３】
前記ブランケット胴を洗浄する工程は、洗浄液が含浸された洗浄布を前記ブランケット胴に接触させる工程である
ことを特徴とする請求項１または２に記載のブランケット胴洗浄方法。
【請求項４】
オフセット印刷機のブランケット胴を洗浄するブランケット胴洗浄方法であって、
絵柄面積率に基づいて接触時間を算出する工程と、
印刷終了後に前記接触時間だけ前記ブランケット胴を前記ウェブに接触させる工程と、
を備えたことを特徴とするブランケット胴洗浄方法。
【請求項５】
ブランケット胴と、
前記ブランケット胴をウェブに接触させる印刷装置と、
前記ブランケット胴を洗浄する洗浄装置と、
を備え、
前記洗浄装置は、絵柄面積率に基づいて算出された洗浄時間だけ前記ブランケット胴を洗浄するようになっている
ことを特徴とするオフセット印刷機。
【請求項６】
前記印刷装置は、前記絵柄面積率に基づいて算出された接触時間だけ前記ブランケット胴を前記ウェブに接触させるようになっている
ことを特徴とする請求項５に記載のオフセット印刷機。
【請求項７】
前記洗浄装置は、洗浄液が含浸される洗浄布と、前記洗浄布を前記ブランケット胴に接触させる駆動機構と、を有する
ことを特徴とする請求項５または６に記載のオフセット印刷機。
【請求項８】
ブランケット胴と、
前記ブランケット胴をウェブに接触させる印刷装置と、
を備え、
前記印刷装置は、絵柄面積率に基づいて算出された接触時間だけ前記ブランケット胴を前記ウェブに接触させるようになっている
ことを特徴とするオフセット印刷機。
【発明の詳細な説明】
【技術分野】
【０００１】
本発明は、ブランケット胴洗浄方法及びオフセット印刷機に関する。
【背景技術】
【０００２】
オフセット印刷機において、印刷品目を切り替えるときや、紙切れや機械故障等により突発的に印刷が停止したときには、その都度ブランケット胴を洗浄する必要がある。特に近年では、印刷品目あたりのロットが短くなって、切替の回数が増加し、ブランケット胴を洗浄する回数も増加している。このため、洗浄時間や洗浄液の使用量が生産阻害要因になっている。
【０００３】
このような課題を解決するために、特許文献１に記載された洗浄方法では、ウェブへの印刷終了後に引き続き同速度で走行している当該ウェブにブランケット胴が接触されることでブランケット胴上のインキがウェブに転移され、その後に洗浄液を含浸させた洗浄布でブランケット胴が洗浄される。これにより、洗浄液の使用量が低減されると共に、洗浄時間が短縮され、洗浄中にも供給されてしまって損紙となるウェブの量が低減されている。
【０００４】
特許文献２に記載された洗浄方法では、印刷終了後にブランケット胴がウェブから離間され、洗浄液を含浸させた洗浄布がブランケット胴に接触された状態で、ウェブの走行速度よりも速い周速度でブランケット胴が回転されることで洗浄がなされる。これにより、洗浄時間が短縮され、洗浄中にも供給されてしまって損紙となるウェブの量が低減されている。
【０００５】
特許文献３に記載された洗浄方法では、印刷中のユニットのみが検知されて洗浄が行われることにより、洗浄液の使用量が低減されている。
【先行技術文献】
【特許文献】
【０００６】
【特許文献１】特開２００７−９８７３４号公報
【特許文献２】特開２００３−２４６０４４号公報
【特許文献３】実開平７−１８８４５号公報
【発明の概要】
【発明が解決しようとする課題】
【０００７】
しかしながら、特許文献１に記載された洗浄方法では、洗浄時間が印刷機に特有の初期設定時間になっているため、例えば紙面の絵柄面積率が低い場合には、洗浄時間が過大である。
【０００８】
また、特許文献２に記載された洗浄方法では、ウェブの走行速度とブランケット胴の周速度とを別個に制御する必要があるため、装置構成に大きな制約がある。また、洗浄時間が印刷機に特有の初期設定時間になっているため、例えば紙面の絵柄面積率が低い場合には、洗浄時間が過大である。
【０００９】
また、特許文献３に記載された洗浄方法では、洗浄するユニットが選択されるだけであるため、洗浄時間の短縮という課題に対する効果は大きくない。
【００１０】
本発明は、このような問題点に着目してなされたものであり、その目的は、印刷紙面の情報を反映して洗浄時間を短縮することができるブランケット胴洗浄方法及びオフセット印刷機を提供することである。
【課題を解決するための手段】
【００１１】
本発明は、オフセット印刷機のブランケット胴を洗浄するブランケット胴洗浄方法であって、絵柄面積率に基づいて洗浄時間を算出する工程と、印刷終了後に前記洗浄時間だけ前記ブランケット胴を洗浄する工程と、を備えたことを特徴とするブランケット胴洗浄方法である。
【００１２】
本発明によれば、絵柄面積率に基づいて洗浄時間が算出されることにより、洗浄時間がブランケット胴上のインキ量に応じて適切に短縮される。これにより、洗浄中にも供給されてしまって損紙となるウェブの量も低減され、生産性が顕著に向上する。
【００１３】
好ましくは、前記絵柄面積率に基づいて接触時間を算出する工程と、印刷終了後、前記ブランケット胴を洗浄する工程の前に、前記接触時間だけ前記ブランケット胴を前記ウェブに接触させる工程と、を更に備える。このような態様によれば、洗浄前にブランケット胴上のインキがウェブに転移されて低減されるため、洗浄液の使用量が低減される。また、絵柄面積率に基づいて接触時間が算出されることにより、接触時間がブランケット胴上のインキ量に応じて適切に短縮される。これにより、接触中に供給されて損紙となるウェブの量も低減され、生産性がより一層向上する。
【００１４】
また、好ましくは、前記ブランケット胴を洗浄する工程は、洗浄液が含浸された洗浄布を前記ブランケット胴に接触させる工程である。このような態様によれば、ブランケット胴上からインキや紙粉等の汚れが容易に除去される。
【００１５】
また、本発明は、オフセット印刷機のブランケット胴を洗浄するブランケット胴洗浄方法であって、絵柄面積率に基づいて接触時間を算出する工程と、印刷終了後に前記接触時間だけ前記ブランケット胴を前記ウェブに接触させる工程と、を備えたことを特徴とするブランケット胴洗浄方法である。
【００１６】
本発明によれば、絵柄面積率に基づいて接触時間が算出されることにより、接触時間がブランケット胴上のインキ量に応じて適切に短縮される。これにより、接触中に供給されて損紙となるウェブの量も低減され、生産性が顕著に向上する。
【００１７】
また、本発明は、ブランケット胴と、前記ブランケット胴をウェブに接触させる印刷装置と、前記ブランケット胴を洗浄する洗浄装置と、を備え、前記洗浄装置は、絵柄面積率に基づいて算出された洗浄時間だけ前記ブランケット胴を洗浄するようになっていることを特徴とするオフセット印刷機である。
【００１８】
本発明によれば、絵柄面積率に基づいて洗浄時間が算出されることにより、洗浄時間がブランケット胴上のインキ量に応じて適切に短縮される。これにより、洗浄中にも供給されてしまって損紙となるウェブの量も低減され、生産性が顕著に向上する。
【００１９】
好ましくは、前記印刷装置は、前記絵柄面積率に基づいて算出された接触時間だけ前記ブランケット胴を前記ウェブに接触させるようになっている。このような態様によれば、洗浄前にブランケット胴上のインキがウェブに転移されて低減されるため、洗浄液の使用量が低減される。また、絵柄面積率に基づいて接触時間が算出されることにより、接触時間がブランケット胴上のインキ量に応じて適切に短縮される。これにより、接触中に供給されて損紙となるウェブの量も低減され、生産性がより一層向上する。
【００２０】
また、好ましくは、前記洗浄装置は、洗浄液が含浸される洗浄布と、前記洗浄布を前記ブランケット胴に接触させる駆動機構と、を有する。このような態様によれば、ブランケット胴上からインキや紙粉等の汚れが容易に除去される。
【００２１】
また、本発明は、ブランケット胴と、前記ブランケット胴をウェブに接触させる印刷装置と、を備え、前記印刷装置は、絵柄面積率に基づいて算出された接触時間だけ前記ブランケット胴を前記ウェブに接触させるようになっていることを特徴とするオフセット印刷機である。
【００２２】
本発明によれば、絵柄面積率に基づいて接触時間が算出されることにより、接触時間がブランケット胴上のインキ量に応じて適切に短縮される。これにより、接触中に供給されて損紙となるウェブの量も低減され、生産性が顕著に向上する。
【００２３】
また、本発明は、ブランケット胴と、前記ブランケット胴をウェブに接触させる印刷装置と、前記ブランケット胴を洗浄する洗浄装置と、を備えたオフセット印刷機を制御するための装置であって、絵柄面積率に基づいて算出された洗浄時間だけ前記洗浄装置をして前記ブランケット胴を洗浄させるようになっていることを特徴とする制御装置である。
【００２４】
本発明によれば、絵柄面積率に基づいて洗浄時間が算出されることにより、洗浄時間がブランケット胴上のインキ量に応じて適切に短縮される。これにより、洗浄中にも供給されてしまって損紙となるウェブの量も低減され、生産性が顕著に向上する。
【００２５】
また、本発明は、ブランケット胴と、前記ブランケット胴をウェブに接触させる印刷装置と、を備えたオフセット印刷機を制御するための装置であって、絵柄面積率に基づいて算出された接触時間だけ前記印刷装置をして前記ブランケット胴をウェブに接触させるようになっていることを特徴とする制御装置である。
【００２６】
本発明によれば、絵柄面積率に基づいて接触時間が算出されることにより、接触時間がブランケット胴上のインキ量に応じて適切に短縮される。これにより、接触中に供給されて損紙となるウェブの量も低減され、生産性が顕著に向上する。
【００２７】
前記制御装置あるいは当該制御装置の各要素手段は、コンピュータシステムによって実
現され得る。
【００２８】
また、コンピュータシステムにそれらを実現させるためのプログラム及び当該プログラ
ムを記録したコンピュータ読取り可能な記録媒体も、本件の保護対象である。
【００２９】
ここで、記録媒体とは、フレキシブルディスク等の単体として認識できるものの他、各
種信号を伝搬させるネットワークをも含む。
【発明の効果】
【００３０】
本発明の一態様によれば、絵柄面積率に基づいて洗浄時間が算出されることにより、洗浄時間がブランケット胴上のインキ量に応じて適切に短縮される。これにより、洗浄中にも供給されてしまって損紙となるウェブの量も低減され、生産性が顕著に向上する。
【００３１】
また、本発明の別の態様によれば、絵柄面積率に基づいて接触時間が算出されることにより、接触時間がブランケット胴上のインキ量に応じて適切に短縮される。これにより、接触中に供給されて損紙となるウェブの量も低減され、生産性が顕著に向上する。
【図面の簡単な説明】
【００３２】
【図１】本発明の一実施の形態のオフセット印刷機の概略構成図である。
【図２】印刷ユニットの概略側面図である。
【図３】本発明の一実施の形態のブランケット胴洗浄方法を説明するためのフローチャートである。
【発明を実施するための形態】
【００３３】
以下に、添付の図面を参照して、本発明の実施の形態を詳細に説明する。
【００３４】
図１は、本発明の一実施の形態のオフセット印刷機の概略構成図である。図１に示すように、本実施の形態のオフセット印刷機１０は、４つの印刷ユニット１１１〜１１４と、各印刷ユニット１１１〜１１４に共通に接続された制御装置１２と、を備えている。４つの印刷ユニット１１１〜１１４は、それぞれ異なる色のインキに対応づけられており、ウェブの走行方向に沿って並んで配置されている。
【００３５】
本実施の形態においては、４つの印刷ユニット１１１〜１１４の装置構成は互いに同じであり、符号１１１の印刷ユニットで代表して説明する。図２は、印刷ユニット１１１の概略側面図である。
【００３６】
図２に示すように、印刷ユニット１１１は、一対のブランケット胴１５ａ、１５ｂと、ブランケット胴１５ａ、１５ｂをウェブ３０に接触させる印刷装置１７ａ、１７ｂと、ブランケット胴１５ａ、１５ｂを洗浄する洗浄装置１３ａ、１３ｂと、を有している。
【００３７】
一対のブランケット胴１５ａ、１５ｂは、ウェブ３０の表面側と裏面側とに互いに対向するように配置されている。当該一対のブランケット胴１５ａ、１５ｂには、それぞれ異なる版胴１６ａ、１６ｂが当接されている。一対のブランケット胴１５ａ、１５ｂと一対の版胴１６ａ、１６ｂとは、不図示の支持部材により互いに平行になるように軸支されている。
【００３８】
一対のブランケット胴１５ａ、１５ｂの中心軸と一対の版胴１６ａ、１６ｂの中心軸には、不図示の回転機構がそれぞれ設けられている。回転機構は、具体的にはモータである。各ブランケット胴１５ａ、１５ｂに対応する回転機構は、各ブランケット胴１５ａ、１５ｂを、ウェブ３０の走行速度と同じ周速度で、ウェブ３０の走行方向に相当する向きに回転させるようになっている。また、各版胴１６ａ、１６ｂに対応する回転機構は、各版胴１６ａ、１６ｂを、それと当接するブランケット胴１５ａ、１５ｂの周速度と同じ周速度で、当該ブランケット胴１５ａ、１５ｂの回転方向とは逆向きに回転させるようになっている。
【００３９】
図２を参照して具体的に説明すれば、図２における右方向に走行するウェブ３０に対して、上方側のブランケット胴１５ａは反時計回りに回転されるようになっており、上方側の版胴１６ａは時計回りに回転されるようになっている。一方、下方側のブランケット胴１５ｂは時計回りに回転されるようになっており、下方側の版胴１６ｂは反時計回りに回転されるようになっている。
【００４０】
印刷装置１７ａ、１７ｂは、エアシリンダを有しており、当該エアシリンダの一端が各ブランケット胴１５ａ、１５ｂの中心軸を支持する不図示の軸受装置にそれぞれ接続されている。印刷装置１７ａ、１７ｂは、当該エアシリンダの伸縮機能を用いて、各ブランケット胴１５ａ、１５ｂ（の中心軸）を、ウェブ３０に対して離間または近接する向きに平行移動させるようになっている。具体的には、図２における上方側のブランケット胴１５ａは左上方向および右下方向に往復移動されるようになっており、下方側のブランケット胴１５ｂは左下方向および右上方向に往復移動されるようになっている。
【００４１】
洗浄装置１３ａ、１３ｂは、それ自体公知の装置であり、洗浄液が含浸される洗浄布２１ａ、２１ｂと、洗浄布２１ａ、２１ｂをブランケット胴１５ａ、１５ｂに接触させる駆動機構２２ａ、２２ｂと、を有している。
【００４２】
駆動機構２２ａ、２２ｂは、ブランケット胴１５ａ、１５ｂの外周面の一部と対向する位置に配置された主ローラ２３ａ、２３ｂと、主ローラ２３ａ、２３ｂの近傍に主ローラ２３ａ、２３ｂと平行に配置された副ローラ２４ａ、２４ｂと、主ローラ２３ａ、２３ｂと副ローラ２４ａ、２４ｂとにそれぞれ接続されたアクチュエータ２５ａ、２５ｂと、を有している。主ローラ２３ａ、２３ｂと副ローラ２４ａ、２４ｂとは、それぞれ不図示の支持部材により軸支されている。
【００４３】
洗浄布２１ａ、２１ｂは、ループ形状を有しており、主ローラ２３ａ、２３ｂと副ローラ２４ａ、２４ｂとに掛け渡されて、弛みがないように張られている。洗浄布２１ａ、２１ｂの一部分がブランケット胴１５ａ、１５ｂに対向された状態で、主ローラ２３ａ、２３ｂと副ローラ２４ａ、２４ｂとが不図示の回転手段によって同一方向に回転すると、洗浄布２１ａ、２１ｂが自身のループ形状に沿って移動して、洗浄布２１ａ、２１ｂの新しい別の部分がブランケット胴２１ａ、２１ｂに対向するようになっている。
【００４４】
また、副ローラ２４ａ、２４ｂの外周面に、軸方向に沿って複数の洗浄液供給孔が並設されており、当該洗浄液供給孔から供給される洗浄液が洗浄布２１ａ、２１ｂに含浸されるようになっている。
【００４５】
アクチュエータ２５ａ、２５ｂは、具体的にはエアシリンダであり、主ローラ２３ａ、２３ｂと副ローラ２４ａ、２４ｂとを（ループ形状の洗浄布２１ａ、２１ｂと一緒に）ブランケット胴１５ａ、１５ｂに対して近接または離間する向きに平行移動させるようになっている。
【００４６】
そして、制御装置１２が、各印刷ユニット１１１〜１１４における印刷装置１７ａ、１７ｂと洗浄装置１３ａ、１３ｂとにそれぞれ接続されている。
【００４７】
制御装置１２は、具体的にはコンピュータシステムによって構成されており、印刷紙面の情報としてオフセット印刷機１０が予め持っている絵柄面積率という情報（パラメータ）に基づいて、洗浄時間と接触時間とを算出するようになっている。絵柄面積率とは、印刷ユニット毎に決定される情報であり、具体的には、印刷紙面において当該印刷ユニットに対応する色のインキが付される領域が占める面積の割合である。そして、例えば、絵柄面積率１００％時の設定洗浄時間が１００秒であり、同じく絵柄面積率１００％時の設定接触時間が１０秒であるとすると、ある印刷ユニットの絵柄面積率が５０％の場合、当該印刷ユニットの洗浄時間は５０秒と算出され、接触時間は５秒と算出されるようになっている。
【００４８】
絵柄面積率は、具体的には、各々の印刷ユニット１１１〜１１４における絵柄面積率の平均値、中央値、最大値等から適宜選択されてもよいし、全ての印刷ユニット１１１〜１１４における絵柄面積率の平均値、中央値、最大値等から適宜選択されてもよい。各々の印刷ユニット１１１〜１１４ごとに個別に絵柄面積率が選択される方が、比較的汚れの少ない印刷ユニットに対して過大な洗浄時間及び接触時間が算出されることがないため、好ましい。
【００４９】
そして、本実施の形態の制御装置１２は、洗浄装置１３ａ、１３ｂをして、絵柄面積率に基づいて算出された洗浄時間だけ、ブランケット胴１５ａ、１５ｂを洗浄させるようになっている。また、本実施の形態の制御装置１２は、印刷装置１７ａ、１７ｂをして、絵柄面積率に基づいて算出された接触時間だけ、ブランケット胴１５ａ、１５ｂをウェブ３０に接触させるようになっている。
【００５０】
次に、以上のような本実施の形態の作用について説明する。
【００５１】
図３は、本実施の形態のオフセット印刷機を用いたブランケット胴洗浄方法（本発明の一実施の形態のブランケット胴洗浄方法）を説明するためのフローチャートである。
【００５２】
各々の印刷ユニット１１１〜１１４において、洗浄布２１ａ、２１ｂがブランケット胴１５ａ、１５ｂから離間された状態において、ウェブ３０の走行が開始されると共に、版胴１６ａ、１６ｂとブランケット胴１５ａ、１５ｂの回転が開始される。
【００５３】
そして、印刷紙面の情報に応じて予め設定されたインキキー開度に応じて、版胴１６ａ、１６ｂ上へのインキの供給が開始される。一方、ブランケット胴１５ａ、１５ｂがウェブ３０及び版胴１６ａ、１６ｂに当接される。これにより、版胴１６ａ、１６ｂ上のインキが、ブランケット胴１５ａ、１５ｂとの当接部分においてブランケット胴１５ａ、１５ｂ上に転移され、ブランケット胴１５ａ、１５ｂ上に転移されたインキが、ウェブ３０との当接部分においてウェブ３０上に転移される。このことにより、ウェブ３０へのオフセット印刷が開始される（ステップＳ１）。
【００５４】
次に、制御装置１２において、各々の印刷ユニット１１１〜１１４の絵柄面積率が取得される（ステップＳ２）。絵柄面積率は、例えば各印刷ユニット１１１〜１１４のインキキー開度に基づいてそれぞれ計算される。インキキー開度は、実機の設置環境等の状況がフィードバックされた値になっていることが好ましいが、初期設計値が用いられてもよい。
【００５５】
次に、制御装置１２において、取得された絵柄面積率に基づいて、各々の印刷ユニット１１１〜１１４における接触時間と洗浄時間とが予め算出される（ステップＳ３）。
【００５６】
そして、オフセット印刷が開始されてから、予め定められた印刷時間が経過したら、オフセット印刷が終了される（ステップＳ４）。
【００５７】
この時、各印刷ユニット１１１〜１１４では、制御装置１２によって印刷装置１７ａ、１７ｂが制御され、印刷ユニット毎に算出された接触時間だけ、ウェブ３０にブランケット胴１５ａ、１５ｂが引き続き接触される（ステップＳ５）。これにより、ブランケット胴１５ａ、１５ｂ上のインキがウェブ３０に転移されて低減される。
【００５８】
印刷ユニット毎に算出された接触時間に基づくインキ転移処理が終了したら、制御装置１２によって印刷装置１７ａ、１７ｂが制御され、ブランケット胴１５ａ、１５ｂがウェブ３０から離間（退避）される（ステップＳ６）。
【００５９】
次に、制御装置１２によって洗浄装置１３ａ、１３ｂが制御され、印刷ユニット毎に算出された洗浄時間だけ、洗浄液が含浸された洗浄布２１ａ、２１ｂがブランケット胴１５ａ、１５ｂに接触される（ステップＳ７）。ブランケット胴１５ａ、１５ｂは引き続き回転されて（洗浄布２１ａ、２１ｂは回転されない）、ブランケット胴１５ａ、１５ｂと洗浄布２１ａ、２１ｂとの接触部分おいて、ブランケット胴１５ａ、１５ｂ上のインキや紙粉等の汚れが洗浄布２１ａ、２１ｂに拭い取られるようにして除去される。
【００６０】
洗浄布２１ａ、２１ｂがブランケット胴１５ａ、１５ｂに接触されてから印刷ユニット毎に算出された洗浄時間が経過したら、制御装置１２によって洗浄装置１３ａ、１３ｂが制御され、洗浄布２１ａ、２１ｂがブランケット胴１５ａ、１５ｂから離間される（ステップＳ８）。
【００６１】
以上のような本実施の形態によれば、絵柄面積率に基づいて洗浄時間が算出されることにより、洗浄時間がブランケット胴１５ａ、１５ｂ上のインキ量に応じて適切に短縮されている。これにより、洗浄中（ステップＳ７）に供給されてしまって損紙となるウェブ３０の量が低減され、生産性が顕著に向上する。
【００６２】
また、このような態様によれば、ステップＳ５において、洗浄前にブランケット胴１５ａ、１５ｂ上のインキがウェブに転移されて低減されるため、ステップＳ７における洗浄液の使用量が低減される。また、絵柄面積率に基づいて接触時間が算出されることにより、接触時間がブランケット胴１５ａ、１５ｂ上のインキ量に応じて適切に短縮されている。これにより、接触中（ステップＳ５）に供給されて損紙となるウェブ３０の量も低減され、生産性がより一層向上する。
【００６３】
また、このような態様によれば、ブランケット胴１５ａ、１５ｂを洗浄する工程（ステップＳ７）が、洗浄液が含浸された洗浄布２１ａ、２１ｂをブランケット胴１５ａ、１５ｂに接触させる工程であるため、ブランケット胴１５ａ、１５ｂ上からインキや紙粉等の汚れが容易に除去される。
【００６４】
なお、ステップＳ３において、取得された絵柄面積率の情報に加えて、コート紙、マット紙、上質紙等の用紙の種類の情報や、生産枚数等の品目情報も考慮されて、洗浄時間または接触時間が算出されてもよい。例えば、マット紙が使用される場合には、ブランケット胴１５ａ、１５ｂ上に紙粉が溜まりやすいため、洗浄時間が１０％増されてもよい。
【００６５】
なお、前述のように、制御装置１２はコンピュータシステムによって構成され得るが、コンピュータシステムに制御装置１２を実現させるためのプログラム及び当該プログラムを記録したコンピュータ読取り可能な記録媒体も、本件の保護対象である。
【００６６】
さらに、制御装置１２が、コンピュータシステム上で動作するＯＳ等のプログラム（第２のプログラム）によって実現される場合、当該ＯＳ等のプログラムを制御する各種命令を含むプログラム及び当該プログラムを記録した記録媒体も、本件の保護対象である。
【００６７】
ここで、記録媒体とは、フレキシブルディスク等の単体として認識できるものの他、各種信号を伝搬させるネットワークをも含む。
【符号の説明】
【００６８】
１０  オフセット印刷機
１１１〜１１４  印刷ユニット
１２  制御装置
１３ａ、１３ｂ  洗浄装置
１５ａ、１５ｂ  ブランケット胴
１６ａ、１６ｂ  版胴
１７ａ、１７ｂ  印刷装置
２１ａ、２１ｂ  洗浄布
２２ａ、２２ｂ  駆動機構
２３ａ、２３ｂ  主ローラ
２４ａ、２４ｂ  副ローラ
２５ａ、２５ｂ  アクチュエータ
３０  ウェブ
【図１】
2014046604.tif 000003
【図２】
2014046604.tif 000004
【図３】
2014046604.tif 000005